Podtech/llm-jp-corpus-v4-ja_patent huggingface dataset:
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
ワイヤレス通信装置において、
前記装置は、
第１のアンテナと第２のアンテナとのうちの少なくとも１つの１つ以上のアップリンク性能特性を決定する手段を具備し、
前記第１のアンテナの前記１つ以上のアップリンク性能特性がしきい値より悪い場合に、前記第１のアンテナおよび前記第２のアンテナの１つ以上のダウンリンク性能特性を決定する手段と、
前記第１のアンテナの前記１つ以上のダウンリンク性能特性が前記第２のアンテナの前記１つ以上のダウンリンク性能特性より悪い場合に、前記第１のアンテナを介してワイヤレス通信を送信することから、前記第２のアンテナを介してワイヤレス通信を送信するように、第１の送信回路を選択的にスイッチする手段とによって特徴付けられるワイヤレス通信装置。
【請求項２】
前記第１のアンテナの前記１つ以上のアップリンク性能特性が前記第２のアンテナの前記１つ以上のアップリンク性能特性より悪い場合に、前記第１のアンテナを介してワイヤレス通信を送信することから、前記第２のアンテナを介してワイヤレス通信を送信するように、前記第１の送信回路を選択的にスイッチする手段をさらに具備する請求項１記載のワイヤレス通信装置。
【請求項３】
前記第１のアンテナの前記１つ以上のアップリンク性能特性と前記第２のアンテナの前記１つ以上のアップリンク性能特性との間の差がしきい値より大きい場合に、前記第１のアンテナを介してワイヤレス通信を送信することから、前記第２のアンテナを介してワイヤレス通信を送信するように、前記第１の送信回路を選択的にスイッチする手段をさらに具備する請求項１記載のワイヤレス通信装置。
【請求項４】
前記第２のアンテナの前記１つ以上のアップリンク性能特性が前記第１のアンテナの前記アップリンク性能特性より悪い場合に、前記第２のアンテナから前記第１のアンテナに選択的にスイッチバックする手段をさらに具備する請求項１記載のワイヤレス通信装置。
【請求項５】
前記第１のアンテナの前記１つ以上のダウンリンク性能特性が前記第２のアンテナの前記１つ以上のダウンリンク性能特性より悪い場合に、前記第１のアンテナを介してワイヤレス通信を受信することから、前記第２のアンテナを介してワイヤレス通信を受信するように、第１の受信回路を選択的にスイッチする手段をさらに具備する請求項１記載のワイヤレス通信装置。
【請求項６】
前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチする手段をさらに具備する請求項１記載のワイヤレス通信装置。
【請求項７】
前記１つ以上のアップリンク性能特性を決定する手段は、
前記第１のアンテナの１つ以上のアップリンク性能特性を決定する手段と、
前記第２のアンテナの１つ以上のアップリンク性能特性を決定する手段とを備え、
前記選択的にスイッチする手段は、
前記第２のアンテナの前記１つ以上のアップリンク性能特性が前記第１のアンテナの前記１つ以上のアップリンク性能特性より良い場合に、前記第１のアンテナを介してワイヤレス通信を送信することから、前記第２のアンテナを介してワイヤレス通信を送信するように、前記第１の送信回路をスイッチする手段を備える請求項１記載のワイヤレス通信装置。
【請求項８】
前記第１のアンテナと前記第２のアンテナとを含む複数のアンテナと、
前記第１の送信回路を含む複数の送信回路とをさらに具備し、
前記１つ以上のダウンリンク性能特性を決定する手段と前記選択的にスイッチする手段は制御装置を備える請求項１ないし７のいずれか１項記載のワイヤレス通信装置。
【請求項９】
ワイヤレス通信装置中で実現される方法において、
前記方法は、
第１のアンテナの１つ以上のアップリンク性能特性がしきい値より悪い場合に、前記第１のアンテナおよび第２のアンテナの１つ以上のダウンリンク性能特性を決定することと、
前記第１のアンテナの前記１つ以上のダウンリンク性能特性が前記第２のアンテナの前記１つ以上のダウンリンク性能特性より悪い場合に、前記第１のアンテナを介してワイヤレス通信を送信することから、前記第２のアンテナを介してワイヤレス通信を送信するように、第１の送信回路を選択的にスイッチすることとによって特徴付けられる方法。
【請求項１０】
前記第１のアンテナの前記１つ以上のアップリンク性能特性が前記第２のアンテナの１つ以上のアップリンク性能特性より悪い場合に、前記第１のアンテナを介してワイヤレス通信を送信することから、前記第２のアンテナを介してワイヤレス通信を送信するように、前記第１の送信回路を選択的にスイッチすることをさらに含む請求項９記載の方法。
【請求項１１】
前記第１のアンテナの前記１つ以上のアップリンク性能特性と前記第２のアンテナの１つ以上のアップリンク性能特性との間の差がしきい値より大きい場合に、前記第１のアンテナを介してワイヤレス通信を送信することから、前記第２のアンテナを介してワイヤレス通信を送信するように、前記第１の送信回路を選択的にスイッチすることをさらに含む請求項９記載の方法。
【請求項１２】
前記第２のアンテナの１つ以上のアップリンク性能特性が前記第１のアンテナの前記アップリンク性能特性より悪い場合に、前記第２のアンテナから前記第１のアンテナに選択的にスイッチバックすることをさらに含む請求項９記載の方法。
【請求項１３】
前記第１のアンテナの前記１つ以上のダウンリンク性能特性が前記第２のアンテナの前記１つ以上のダウンリンク性能特性より悪い場合に、前記第１のアンテナを介してワイヤレス通信を受信することから、前記第２のアンテナを介してワイヤレス通信を受信するように、第１の受信回路を選択的にスイッチすることをさらに含む請求項９記載の方法。
【請求項１４】
前記第１のアンテナと前記第２のアンテナとのうちの少なくとも１つの１つ以上のアップリンク性能特性に基づいて、前記第１のアンテナを介してワイヤレス通信を受信することから、前記第２のアンテナを介してワイヤレス通信を受信するように、第１の受信回路を選択的にスイッチすることをさらに含む請求項９記載の方法。
【請求項１５】
前記選択的にスイッチすることは、
前記第１のアンテナの１つ以上のアップリンク性能特性を決定することと、
前記第２のアンテナの１つ以上のアップリンク性能特性を決定することと、
前記第２のアンテナの前記１つ以上のアップリンク性能特性が前記第１のアンテナの前記１つ以上のアップリンク性能特性より良い場合に、前記第１のアンテナを介してワイヤレス通信を送信することから、前記第２のアンテナを介してワイヤレス通信を送信するように、前記第１の送信回路をスイッチすることとを含む請求項９記載の方法。
【請求項１６】
実行されるときに請求項９ないし１５のいずれか１項記載の方法をデバイス中のプロセッサに実行させる命令を含む非一時的コンピュータ読み取り可能媒体。
【手続補正２】
【補正対象書類名】明細書
【補正対象項目名】発明の名称
【補正方法】変更
【補正の内容】
【発明の名称】アップリンク性能特性に基づくアンテナスイッチングのための方法およびシステム
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
患者インタフェースシステムにおいて、前記患者インタフェースシステムが、
患者にガスの流れを提供する患者インタフェースであって、
前記患者インタフェースを前記患者に取り付けるヘッドギア、及び
前記ヘッドギアを用いて前記患者インタフェースを前記患者に取り付ける力の調整に対する少なくとも１つの調整機構、
を有する患者インタフェースと、
前記患者の少なくとも１つの血管を通る血流の度合いを監視する検出器であって、
少なくとも１つのセンサ、及び
少なくとも１つの監視ユニット、
を有する検出器と、
を有し、
前記少なくとも１つのセンサが、前記少なくとも１つの血管を通る血流の特性データを検出することができ、前記検出されたデータを前記少なくとも１つの監視ユニットに送信するために前記少なくとも１つの監視ユニットに接続され、
前記少なくとも１つの監視ユニットが、前記少なくとも１つのセンサから前記データを受け取ることができ、これらのデータに基づいて前記少なくとも１つの血管を通る前記血流の度合いを評価することができ、
前記少なくとも１つの監視ユニットが、前記少なくとも１つの血管を通る前記評価された血流に基づいて信号を提供することができ、
前記少なくとも１つの調整機構が、前記検出器により提供される前記信号に基づいて前記ヘッドギアを用いて前記患者インタフェースを前記患者に取り付ける力を調整する、
患者インタフェースシステム。
【請求項２】
前記監視ユニットが、前記評価された血流に基づいて前記少なくとも１つの血管の閉塞の度合いを評価することができ、前記信号が、前記評価された閉塞の度合いに基づく、請求項１に記載の患者インタフェースシステム。
【請求項３】
前記センサが、皮膚内に光を透過させる光源及び反射光を検出する光センサ、音検出器又は圧力センサを有する、請求項１又は２に記載の患者インタフェースシステム。
【請求項４】
前記患者インタフェースシステムが、評価ユニットを有し、前記評価ユニットが、前記監視ユニットから前記信号を受け取り、処理するように設計され、前記評価ユニットが、これらの処理された信号に基づいて制御信号により他の装置を制御することができる、請求項１乃至３のいずれか一項に記載の患者インタフェースシステム。
【請求項５】
前記検出器は、前記患者インタフェースの一部である、請求項１に記載の患者インタフェースシステム。
【請求項６】
前記センサ及び前記少なくとも１つの監視ユニットが、互いに分離され、前記センサが前記患者インタフェースに配置され、前記少なくとも１つの監視ユニットが前記患者インタフェースシステムの一部である外部装置に配置される、請求項１に記載の患者インタフェースシステム。
【請求項７】
前記患者インタフェースがクッション要素を有し、前記クッション要素が前記少なくとも１つのセンサを有する、請求項１に記載の患者インタフェースシステム。
【請求項８】
前記少なくとも１つのセンサが、皮膚内に光を透過させる光源及び反射光を検出する光検出器、音検出器又は圧力センサを有する、請求項７に記載の患者インタフェースシステム。
【請求項９】
前記少なくとも１つのセンサは、前記クッション要素が患者に対して使用される場合にレッドマークを形成する傾向にある前記患者の皮膚上の領域に対応する前記クッション要素の領域に配置される、請求項７又は８に記載の患者インタフェースシステム。
【請求項１０】
前記ヘッドギアがストラップを有し、前記少なくとも１つの調整機構が前記ストラップの長さを調整するための電気モータを有する、請求項１に記載の患者インタフェースシステム。
【請求項１１】
前記ヘッドギアがストラップを有し、前記少なくとも１つの調整機構が前記ストラップの長さを調整するための電気活性高分子を有する、請求項１に記載の患者インタフェースシステム。
【請求項１２】
前記ヘッドギアがストラップを有し、前記少なくとも１つの調整機構が前記ストラップの長さを調整するための制御可能バルブにより膨張又は収縮されうる拡張可能ボディを有する、請求項１に記載の患者インタフェースシステム。
【請求項１３】
患者インタフェースシステムにおいて、前記患者インタフェースシステムが、
患者にガスの流れを提供する患者インタフェースであって、
前記患者インタフェースを前記患者に取り付けるヘッドギア、及び
前記ヘッドギアを用いて前記患者インタフェースを前記患者に取り付ける力の調整に対する少なくとも１つの調整機構、
を有する患者インタフェースと、
前記患者の少なくとも１つの血管を通る血流の度合いを監視する検出器であって、
少なくとも１つのセンサ、
少なくとも１つの監視ユニット、及び
評価ユニット、
を有する検出器と、
音発生器と、
を有し、
前記少なくとも１つのセンサが、前記少なくとも１つの血管を通る血流の特性データを検出することができ、前記検出されたデータを前記少なくとも１つの監視ユニットに送信するために前記少なくとも１つの監視ユニットに接続され、
前記少なくとも１つの監視ユニットが、前記少なくとも１つのセンサから前記データを受け取ることができ、これらのデータに基づいて前記少なくとも１つの血管を通る前記血流の度合いを評価することができ、
前記少なくとも１つの監視ユニットが、前記少なくとも１つの血管を通る前記評価された血流に基づいて信号を提供することができ、
前記評価ユニットが前記監視ユニットから前記信号を受け取り、処理するように設計され、並びに
前記信号が前記少なくとも１つの血管内の血流の度合い又は前記少なくとも１つの血管の閉塞の度合いが所定の閾値を通過することを示す場合、前記評価ユニットがアラームを発生するために前記音発生器を制御し、前記アラームは、前記患者インタフェースの取り付け力が強すぎること、及び前記力が前記少なくとも１つの調整機構により適合すべきことを示している、
患者インタフェースシステム。
【請求項１４】
患者の皮膚に対する患者インタフェースによるレッドマークの形成を防ぐ方法において、
前記患者インタフェースが前記患者の皮膚に接触するように、取り付け力により前記患者インタフェースを前記患者に取り付けるステップと、
前記患者インタフェースが皮膚に接触する場所で前記患者の少なくとも１つの血管を通る血流の度合いを評価するステップと、
血流が存在するように、好ましくは前記血流が所定の閾値より上であるように前記取り付け力を調整するステップと、
を有する方法。
【請求項１５】
前記血流の度合いを評価するステップが、前記患者の前記少なくとも１つの血管を通る前記血流の特性データを検出することにより実現される、請求項１４に記載の方法。
【誤訳訂正書】
【提出日】平成28年7月13日(2016.7.13)
【誤訳訂正１】
【訂正対象書類名】明細書
【訂正対象項目名】００６９
【訂正方法】変更
【訂正の内容】
【００６９】
動作の例では、制御インタフェース７０６は、最初に（例えば、始動時、ゾーンプレーヤーをゾーンプレーヤーネットワークに追加するとき等に）、インタフェース４０４、４０６を介して外部デバイスと通信する。制御インタフェース７０６は、制御情報を送信する。制御インタフェース７０６は、デフォルトのチャンネル又は最後に知り得たチャンネルを介して、及び／又は他の無線設定を介して、制御情報の更新を要求する。例えば、制御情報の例は、少なくとも選択されたチャンネル、及びゾーンプレーヤー７００の識別子（例えば、同じネットワーク上に存在し得る任意の他のゾーンプレーヤーからゾーンプレーヤー７００を区別するもの）を含む。制御情報の送信後（いくつかの実施形態では、外部デバイスからの確認応答を受信後）、制御インタフェース７０６は、インタフェース４０４、４０６を介してフィードバックしてもよく、例えば、更新された制御情報を受信してもよい。適切な場合には、制御インタフェース７０６は、例えば、チャンネルセレクタ７０４を介して、外部デバイスから受信した更新情報に基づいて、ゾーンプレーヤー７００のパラメータを更新することができるか、又は他の変更をすることができる。
【誤訳訂正２】
【訂正対象書類名】特許請求の範囲
【訂正対象項目名】全文
【訂正方法】変更
【訂正の内容】
【特許請求の範囲】
【請求項１】
第１再生デバイスが、デフォルトのチャンネルと最後に知り得たチャンネルとのうちいずれか一方を介してローカル無線ネットワークに接続するステップ、
ローカル無線ネットワークに接続された第１再生デバイスの地理的地域ロケーションを、第１再生デバイスがユーザの操作なしに自動的に決定するステップ、
決定した地理的地域ロケーションに関連する構築情報に基づいて、第１再生デバイスがローカル無線ネットワークを介して行う無線接続及び無線通信に必要なネットワークパラメータを、第１再生デバイスが構築するステップ、ここで構築情報はローカル無線ネットワーク上への無線チャンネルの選択に関する情報を含む、
構築されたネットワークパラメータに基づくローカル無線ネットワークを介して、第１再生デバイスによる通信を可能にするステップ、ここで構築されたネットワークパラメータは、構築された無線チャンネルを含む、
第１再生デバイスが、構築された無線チャンネルと地域設定情報とをローカル無線ネットワーク上の第２再生デバイスへ送信するステップ、ここで地域設定情報は、決定した地理的地域ロケーションに対応する一方、構築された無線チャンネルと地域設定情報とは、第２再生デバイスがローカル無線ネットワークを介して通信するために使用される、
を含み、
第１再生デバイスと第２再生デバイスとは、ピア・ツー・ピアのメッシュネットワークを介して少なくとも第３のデバイスに接続される、方法。
【請求項２】
第１再生デバイス及び第２再生デバイスのそれぞれは、単一の送受信機を有すると共に、一度に１つのチャンネルのみで通信するように構成された、請求項１に記載の方法。
【請求項３】
第１再生デバイスは、メッシュネットワーク用のネットワークトポロジー設定を第２再生デバイスへ送信する、請求項１または２に記載の方法。
【請求項４】
更に、
第２再生デバイスが、地域設定情報と、ネットワークトポロジー設定と、構築された無線チャンネルと、を第１再生デバイスから受信するステップ、
第１再生デバイスから受信した情報に基づいて、地域設定とローカル無線メッシュネットワークへ接続するための無線チャンネルとを、第２再生デバイスが自動的に構築するステップ、
を含む、請求項１〜３のいずれか一項に記載の方法。
【請求項５】
更に、
第１再生デバイスから受信した情報に基づいて、第２再生デバイスが、ローカル無線ネットワークに接続するステップ、
を含む、請求項４に記載の方法。
【請求項６】
更に、
地域設定情報と構築された無線チャンネルとを、ローカル無線ネットワーク上のすべての再生デバイスへ送信するステップ、これによりすべての再生デバイスは、地域設定情報と構築された無線チャンネルとを使用し、ローカル無線ネットワークを介して通信する、
を含む、請求項４に記載の方法。
【請求項７】
地理的地域ロケーションを決定するステップは、
第１再生デバイス内に配置された全地球測位装置を使用すること、
を含む、請求項１〜６のいずれか一項に記載の方法。
【請求項８】
地理的地域ロケーションを決定するステップは、
第１再生デバイスが、第１メッセージをクラウドベースサーバに送信すること、
第１再生デバイスが、クラウドベースサーバから第２メッセージを受信すること、ここで第２メッセージは第１再生デバイスの地理的地域ロケーションを含む、
を含む、請求項１〜７のいずれか一項に記載の方法。
【請求項９】
更に、
決定した地理的地域に関連する構築情報を、地理的地域ロケーションに基づいて、第１再生デバイスで決定するステップ、
を含む、請求項１〜８のいずれか一項に記載の方法。
【請求項１０】
更に、第２メッセージは、決定した地理的地域に関連する構築情報を含む、請求項８に記載の方法。
【請求項１１】
地理的地域ロケーションを決定するステップは、
第１再生デバイスが、第１メッセージをローカル無線ネットワーク上の第２再生デバイスに送信すること、
第２再生デバイスから第２メッセージを、再生デバイスで受信すること、ここで第２メッセージは第１再生デバイスの地理的地域ロケーションを含む、
を含む、請求項１〜１０のいずれか一項に記載の方法。
【請求項１２】
ネットワークパラメータは、ビットレート、エンコード、及び送信電力のうちの少なくとも１つを含む、請求項１〜１１のいずれか一項に記載の方法。
【請求項１３】
前記決定するステップは、（ｉ）再生デバイスの電源投入、及び（ｉｉ）再生デバイスによるネットワークへの接続の開始のうちの少なくとも１つにより行われる、請求項１〜１２のいずれか一項に記載の方法。
【請求項１４】
コンピュータに請求項１及び５〜１２のいずれか一項に記載の方法を実行させるためのプログラムを記録したコンピュータ読み取り可能な非一時的な記録媒体。
【請求項１５】
ユーザの操作なしに外部ソースからローカル無線ネットワーク用のネットワーク構築情報を、メディア再生デバイスで受信し、処理する制御インタフェース、
ネットワーク構築情報の少なくとも一部に基づいて、ローカル無線ネットワークと通信する無線インタフェース、
ローカル無線ネットワークを介して受信したオーディオ情報に基づいてオーディオを出力するスピーカー、
メディア再生デバイスによる無線通信用の周波数チャンネルを、ネットワーク構築情報に基づいて選択するチャンネルセレクタ、
請求項１及び５〜１３のいずれか一項に記載の方法を実行するように構成された制御インタフェース、
を備える、メディア再生デバイス。
【請求項１６】
請求項１及び５〜１２のいずれか一項に記載の方法を実行するように構成された第１メディア再生デバイス、
請求項３又は４に記載の方法を実行するように構成された第２再生デバイス、
を備える、システム。
【請求項１７】
図９に示す方法。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
通信デバイス上で最適化された物体探索を行うための方法であって、
第1のデータセットの要求を開始するステップと、
前記通信デバイスのロケーションを送信するステップと、
前記通信デバイスの前記ロケーションに近接した第1の探索領域内の1つまたは複数の物体の各々を表すデータを含む前記第1のデータセットを前記通信デバイスで受信するステップと、
を含む、方法。
【請求項２】
前記第1のデータセットの前記要求を開始するステップは、マッチングされる物体を表すデータを含む探索要求を開始するステップを含む、請求項1に記載の方法。
【請求項３】
マッチングされる前記物体を表す前記データは、マッチングされる前記物体の視覚的表示を含む、請求項2に記載の方法。
【請求項４】
マッチングされる前記物体を表す前記データを、前記第1のデータセット内の前記1つまたは複数の物体の各々を表す前記データと比較することによって、前記通信デバイス上で探索を実行するステップ
をさらに含む、請求項2に記載の方法。
【請求項５】
前記第1のデータセットに一致が見られないと判定すると、前記通信デバイスの前記ロケーションに近接した第2の探索領域内の1つまたは複数の物体の各々を表すデータを含む第2のデータセットの要求を送信するステップと、
前記第2の探索領域に基づいて前記第2のデータセットを受信するステップと
をさらに含む、請求項2に記載の方法。
【請求項６】
マッチングされる前記物体を表す前記データを、前記第2のデータセット内の前記1つまたは複数の物体の各々を表す前記データと比較することによって、探索を実行するステップ
をさらに含む、請求項5に記載の方法。
【請求項７】
前記探索要求を開始するステップは、小売店で実行され、前記第1の探索領域は、前記小売店内の1つまたは複数の通路を含む、請求項2に記載の方法。
【請求項８】
前記第1の探索領域は、前記通信デバイスの前記ロケーションに関連する精度値に基づいている、請求項1に記載の方法。
【請求項９】
前記第1のデータセットの前記要求を開始するステップは、屋内現場で実行される、請求項1に記載の方法。
【請求項１０】
前記ロケーションを送信するステップは、
前記屋内現場に関連するワイヤレスアクセスポイントから受信される信号を三角測量するステップと、前記三角測量に基づいて前記ロケーションを計算するステップとを含む、請求項9に記載の方法。
【請求項１１】
前記通信デバイスの前記ロケーションは、緯度および経度座標を含む、請求項1に記載の方法。
【請求項１２】
前記第1のデータセット内の前記データによって表される前記第1の探索領域内の前記1つまたは複数の物体の各々は、前記第1の探索領域内に経度および緯度座標を有する、請求項1に記載の方法。
【請求項１３】
前記第1のデータセットの前記要求は、ジオフェンスを横切ると、開始される、請求項1に記載の方法。
【請求項１４】
第1のデータセットの要求を開始するための手段と、
通信デバイスのロケーションを送信するための手段と、
前記通信デバイスの前記ロケーションに近接した第1の探索領域内の1つまたは複数の物体の各々を表すデータを含む前記第1のデータセットを前記通信デバイスで受信するための手段と、
を含む、装置。
【請求項１５】
最適化された探索セットを提供するための方法であって、
第1のデータセットの要求を受信するステップと、
前記第1のデータセットの前記要求に関連する通信デバイスのロケーションの指示を受信するステップと、
前記通信デバイスの前記ロケーションに近接した第1の探索領域内の1つまたは複数の物体を判定するステップと、
前記第1の探索領域内の前記1つまたは複数の物体の各々を表すデータを含む前記第1のデータセットを生成するステップと、
前記第1のデータセットを前記通信デバイスに送信するステップと
を含む、方法。
【請求項１６】
第2のデータセットの要求を受信するステップと、
前記通信デバイスに近接した、前記第1の探索領域と異なる第2の探索領域内の1つまたは複数の物体を判定するステップと、
前記第2の探索領域内の前記1つまたは複数の物体の各々を表すデータを含む前記第2のデータセットを生成するステップと
をさらに含む、請求項15に記載の方法。
【請求項１７】
処理モジュールにより実行されたとき、請求項1乃至13の何れか1項または請求項15もしくは16に記載の方法をコンピュータに実施させる少なくとも1つの命令を含む、コンピュータプログラム。
【請求項１８】
第1のデータセットの要求を受信するための手段と、
前記第1のデータセットの前記要求に関連する通信デバイスのロケーションの指示を受信するための手段と、
前記通信デバイスの前記ロケーションに近接した第1の探索領域内の1つまたは複数の物体を判定するための手段と、
前記第1の探索領域内の前記1つまたは複数の物体の各々を表すデータを含む前記第1のデータセットを生成するための手段と、
前記第1のデータセットを前記通信デバイスに送信するための手段と、
を含む、装置。
【手続補正書】
【提出日】平成28年6月24日(2016.6.24)
【手続補正１】
【補正対象書類名】明細書
【補正対象項目名】００５９
【補正方法】変更
【補正の内容】
【００５９】
角膜ポケット内にレンズを挿入した後、レンズが所望位置に精確に位置されているか否かが、挿入部Ｃの光学装置１１を用いて監視される。角膜内レンズが角膜ポケットに正確に挿入されなかった場合、レンズの後続の位置決めが、位置決め器具を用いて行われる。本発明に従って使用可能な位置決め器具は、以下の図４ａおよび４ｂによって詳細に説明される。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
スウィートジュース組成物の製造方法において、
（ａ）複数のテルペングリコシドを含有し、該複数のテルペングリコシドの少なくとも１つがモグロシドＶである、ウリ科の果物を準備する工程；
（ｂ）複数のテルペングリコシドを含有し、該複数のテルペングリコシドの少なくとも１つがモグロシドＶであるジュースを、前記果物から取得する工程；
（ｃ）酸性形態で再生する陽イオン交換樹脂と、アルカリ性形態で再生する陰イオン交換樹脂とを準備する工程；
（ｄ）前記ジュースを前記陽イオン交換樹脂と接触させ、部分的に処理されたジュースを製造する工程；および
（ｅ）前記部分的に処理されたジュースを前記陰イオン交換樹脂と接触させ、スウィートジュース組成物を製造する工程、
を含むことを特徴とするスウィートジュース組成物の製造方法。
【請求項２】
高圧液体クロマトグラフィー（ＨＰＬＣ）によって測定したときに、前記スウィートジュース組成物が、前記ジュースからのモグロシドＶを少なくとも６０％保持していることを特徴とする、請求項１に記載の方法。
【請求項３】
前記スウィートジュース組成物が、ＨＰＬＣによって測定したときに、前記ジュースからのテルペングリコシドを少なくとも６０％保持していることを特徴とする、請求項１または２に記載の方法。
【請求項４】
前記ジュースが、前記果物中に天然に存在する糖類を有することを特徴とする、請求項１〜３の何れか１項に記載の方法。
【請求項５】
前記スウィートジュース組成物が、前記果物中に天然に存在する糖類を有することを特徴とする、請求項１〜４の何れか１項に記載の方法。
【請求項６】
工程（ｂ）は、
（ｉ）前記果物を水と接触させ、水溶性スラリーを形成する工程；
（ｉｉ）少なくとも６０℃の温度で前記水溶性スラリーを処理する工程；および、
（ｉｉｉ）工程（ｉｉ）において前記水溶性スラリーからジュースを得る工程、
を含む、請求項１〜５の何れか１項に記載の方法。
【請求項７】
さらに、前記ジュースを前記陽イオン交換樹脂と接触させる前に、前記ジュースを浄化する工程を含むことを特徴とする、請求項６に記載の方法。
【請求項８】
酸性形態で再生する第２の陽イオン交換樹脂と、アルカリ性形態で再生する第２の陰イオン交換樹脂とを準備する工程；および、
前記スウィートジュース組成物を、前記第２の陽イオン交換樹脂および前記第２の陰イオン交換樹脂と接触させることにより、第２のスウィートジュース組成物を製造する工程、
をさらに含むことを特徴とする、請求項１〜７の何れか１項に記載の方法。
【請求項９】
前記陽イオン交換樹脂が、強酸性陽イオン交換樹脂、弱酸性陽イオン交換樹脂、混合した酸の陽イオン交換樹脂、およびそれらの組み合わせからなる群から選択されることを特徴とする、請求項１〜８の何れか１項に記載の方法。
【請求項１０】
前記酸性形態が、水素形態、アンモニウム形態、およびそれらの組み合わせからなる群から選択されることを特徴とする、請求項１〜９の何れか１項に記載の方法。
【請求項１１】
前記陽イオン交換樹脂が、水素形態で再生される強酸性陽イオン交換樹脂であることを特徴とする、請求項１〜８の何れか１項に記載の方法。
【請求項１２】
前記陰イオン交換樹脂が、弱塩基性陰イオン交換樹脂、強塩基性陰イオン交換樹脂、混合型塩基性陰イオン交換樹脂、およびそれらの組み合わせからなる群から選択されることを特徴とする、請求項１〜１１の何れか１項に記載の方法。
【請求項１３】
前記アルカリ性形態が、水酸基形態、炭酸塩形態、およびそれらの組み合わせからなる群から選択されることを特徴とする、請求項１〜１２の何れか１項に記載の方法。
【請求項１４】
前記陰イオン交換樹脂が、水酸基形態で再生される弱塩基性陰イオン交換樹脂であることを特徴とする、請求項１〜１１の何れか１項に記載の方法。
【請求項１５】
前記果物が、シライチアグロスベノリイ（Siraitia grosvenorii）もしくはシライチアシアメンシス（Siraitia siamensis）であることを特徴とする、請求項１〜１４の何れか１項に記載の方法。
【請求項１６】
前記果物が、ラカンカであることを特徴とする、請求項１〜１４の何れか１項に記載の方法。
【請求項１７】
スウィートジュース組成物の製造方法において、
（ａ）複数のテルペングリコシドを含有し、該複数のテルペングリコシドの少なくとも１つがモグロシドＶである、ウリ科の果物から、生のジュースまたは希釈されたジュースを準備する工程；
（ｂ）酸性形態で再生する陽イオン交換樹脂と、アルカリ性形態で再生する陰イオン交換樹脂とを準備する工程；
（ｃ）前記ジュースを前記陽イオン交換樹脂と接触させることにより、部分的に処理されたジュースを製造する工程；および
（ｄ）前記部分的に処理されたジュースを前記陰イオン交換樹脂と接触させることにより、スウィートジュース組成物を製造する工程、
を含むことを特徴とするスウィートジュース組成物の製造方法。
【請求項１８】
高圧液体クロマトグラフィー（ＨＰＬＣ）によって測定したときに、前記スウィートジュース組成物が、前記ジュースからのモグロシドＶを少なくとも６０％保持していることを特徴とする、請求項１７に記載の方法。
【請求項１９】
工程（ａ）で準備する前記ジュースが、生のジュースであり、陽イオン交換樹脂：陰イオン交換樹脂の比が約１：１である、もしくは、
工程（ａ）で準備する前記ジュースが、希釈されたジュースであり、陽イオン交換樹脂：陰イオン交換樹脂の比が約１．４〜２：１であることを特徴とする、請求項１７または１８に記載の方法。
【請求項２０】
請求項１〜１９の何れか１項に記載の方法によって製造されるスウィートジュース組成物。
【請求項２１】
請求項１〜１９の何れか１項に記載の方法によって製造されるスウィートジュース組成物を含有する、食品、飲料、医薬、もしくは栄養補助食品製品。
【請求項２２】
食品、飲料、医薬、もしくは栄養補助食品製品における、請求項１〜１９の何れか１項に記載の方法によって製造されるスウィートジュース組成物の使用。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
組換えタンパク質を調製する方法であって、組換えタンパク質製剤を、エンベロープウイルスを不活化するのに十分な量の双性イオン界面活性剤と接触させることを含み、前記量は、前記界面活性剤の臨界ミセル濃度を超える濃度であり、かつ前記組換えタンパク質の生物学的活性を阻害しない、前記方法。
【請求項２】
細胞培養培地で、組換えタンパク質を発現する細胞を培養することをさらに含む、請求項１に記載の方法。
【請求項３】
組換えタンパク質を精製することをさらに含む、請求項１または２に記載の方法。
【請求項４】
組換えタンパク質製剤を、培養ステップの間に双性イオン界面活性剤と接触させる、請求項２または３に記載の方法。
【請求項５】
組換えタンパク質製剤を、培養ステップの前または後に双性イオン界面活性剤と接触させる、請求項２または３に記載の方法。
【請求項６】
臨界ミセル濃度を超える濃度は、臨界ミセル濃度の約２倍〜約１０倍である、請求項１〜５のいずれか一項に記載の方法。
【請求項７】
約４ｌｏｇを超えるエンベロープウイルスの不活化は、双性イオン界面活性剤を組換えタンパク質製剤と接触させてから１時間以内に達成される、請求項１〜６のいずれか一項に記載の方法。
【請求項８】
組換えタンパク質は、腫瘍壊死因子（ＴＮＦ）阻害剤タンパク質である、請求項１〜７のいずれか一項に記載の方法。
【請求項９】
ＴＮＦ阻害剤タンパク質は、エタネルセプトである、請求項８に記載の方法。
【請求項１０】
エンベロープウイルスは、げっ歯類細胞株または哺乳類細胞株に関連する、請求項１〜９のいずれか一項に記載の方法。
【請求項１１】
エンベロープウイルスは、異種指向性マウス白血病ウイルスである、請求項１０に記載の方法。
【請求項１２】
エンベロープウイルスは、ブタヘルペスウイルス１である、請求項１〜９のいずれか一項に記載の方法。
【請求項１３】
双性イオン界面活性剤は、生態毒性であると分類されない、請求項１〜１２のいずれか一項に記載の方法。
【請求項１４】
双性イオン界面活性剤は、Ｎ，Ｎ−ジメチルドデシルアミンＮ−オキシド（ＬＤＡＯ）、Ｎ−ドデシル−Ｎ，Ｎ−ジメチル−３−アンモニオ−１−プロパンスルホネート（スルホベタイン３−１２）、Ｎ−テトラデシル−Ｎ，Ｎ−ジメチル−３−アンモニオ−１−プロパンスルホネート（スルホベタイン３−１４）、またはＮ−ヘキサデシル−Ｎ，Ｎ−ジメチル−３−アンモニオ−１−プロパンスルホネート（スルホベタイン３−１６）である、請求項１〜１３のいずれか一項に記載の方法。
【請求項１５】
組換えタンパク質製剤を溶媒と接触させることを含まない、請求項１〜１４のいずれか一項に記載の方法。
【請求項１６】
組換えタンパク質と、
エンベロープウイルスを不活化するのに十分な量の双性イオン界面活性剤と、を含み、前記量は、前記界面活性剤の臨界ミセル濃度を超える濃度であり、かつ前記組換えタンパク質の生物学的活性を阻害しない、組成物。
【請求項１７】
組換えタンパク質を調製する方法であって、組換えタンパク質製剤を、エンベロープウイルスを不活化するのに十分な量のＮ，Ｎ−ジメチルドデシルアミンＮ−オキシド（ＬＤＡＯ）と接触させることを含み、前記量は、界面活性剤の臨界ミセル濃度の約２倍〜約１０倍の濃度であり、かつ組換えタンパク質の生物学的活性を阻害しない、前記方法。
【請求項１８】
腫瘍壊死因子（ＴＮＦ）阻害剤タンパク質と、
双性イオン界面活性剤の臨界ミセル濃度の約２倍〜約１０倍の濃度のＮ，Ｎ−ジメチルドデシルアミンＮ−オキシド（ＬＤＡＯ）、Ｎ−ドデシル−Ｎ，Ｎ−ジメチル−３−アンモニオ−１−プロパンスルホネート（スルホベタイン３−１２）、Ｎ−テトラデシル−Ｎ，Ｎ−ジメチル−３−アンモニオ−１−プロパンスルホネート（スルホベタイン３−１４）、またはＮ−ヘキサデシル−Ｎ，Ｎ−ジメチル−３−アンモニオ−１−プロパンスルホネート（スルホベタイン３−１６）である前記界面活性剤と、を含む、組成物。
【請求項１９】
精製された腫瘍壊死因子（ＴＮＦ）阻害剤タンパク質と、
組成物の０．０５％未満の量の双性イオン界面活性剤と、を含む、組成物。
【請求項２０】
請求項１〜１９のいずれか一項に記載の組成物を含む、キット。
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
手における少なくとも一つの虫様筋の刺激を含む、機能的電気刺激治療のための方法。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
カナダ国際寄託当局（IDAC）に2013年6月20日に寄託され、アクセッション番号200613-01に帰属する単離されたE. coli株、その変異体又はバリアントと、食事上許容されるキャリアとを含むことを特徴とする、組成物。
【請求項２】
組成物が、凍結乾燥形態であることを特徴とする、請求項1に記載の組成物。
【請求項３】
組成物が、凍結形態であることを特徴とする、請求項1に記載の組成物。
【請求項４】
組成物が、動物へと腸内デリバリーするためのものであることを特徴とする、請求項1〜3のいずれか一項に記載の組成物。
【請求項５】
腸内デリバリーが経口投与を含むことを特徴とする、請求項4に記載の組成物。
【請求項６】
動物が豚であることを特徴とする、請求項4又は5に記載の組成物。
【請求項７】
動物が離乳後の豚であることを特徴とする、請求項4又は5に記載の組成物。
【請求項８】
組成物が、F4線毛を発現する単離された生きた非病原性E. coliをさらに含むことを特徴とする、請求項1〜7のいずれか一項に記載の組成物。
【請求項９】
F4線毛を発現する前記非病原性E. coliが、カナダ国際寄託当局に2005年1月21日に寄託され、アクセッション番号IDAC 210105-01に帰属する株である、請求項8に記載の組成物。
【請求項１０】
組成物が、用量当たり、少なくとも5×107 CFUの量の、カナダ国際寄託当局（IDAC）に2013年6月20日に寄託され、アクセッション番号200613-01に帰属する単離されたE. coli株、その変異体又はバリアントを含むことを特徴とする、請求項1〜9のいずれか一項に記載の組成物。
【請求項１１】
組成物が、用量当たり、約5×106〜約3×1010 CFUの範囲内の量の、カナダ国際寄託当局（IDAC）に2013年6月20日に寄託され、アクセッション番号200613-01に帰属する単離されたE. coli株、その変異体又はバリアントを含むことを特徴とする、請求項1〜9のいずれか一項に記載の組成物。
【請求項１２】
動物においてF18病原性E. coli腸管感染を予防するための組成物であって、動物へと腸内デリバリーするための組成物の製造における、カナダ国際寄託当局（IDAC）に2013年6月20日に寄託され、アクセッション番号200613-01に帰属する生きたE. coli株、その変異体又はバリアントの有効量の使用。
【請求項１３】
前記腸内デリバリーが、生きたE. coli株の経口投与により得られることを特徴とする、請求項12に記載の使用。
【請求項１４】
前記組成物が凍結乾燥形態であることを特徴とする、請求項12又は13に記載の使用。
【請求項１５】
前記組成物が凍結形態であることを特徴とする、請求項12又は13に記載の使用。
【請求項１６】
前記生きたE. coli株が、食事上許容されるキャリアと関連することを特徴とする、請求項12〜15のいずれか一項に記載の使用。
【請求項１７】
前記動物が豚であることを特徴とする、請求項12〜16のいずれか一項に記載の使用。
【請求項１８】
動物においてF18病原性E. coli感染により引き起こされる浮腫病又は下痢を予防するための、請求項12〜17のいずれか一項に記載の使用。
【請求項１９】
前記組成物が、F18 E. coliチャレンジ株による腸管感染を予防することができることを特徴とする、請求項12〜17のいずれか一項に記載の使用。
【請求項２０】
動物が離乳後の豚であることを特徴とする、請求項12〜19のいずれか一項に記載の使用。
【請求項２１】
組成物が、用量当たり、少なくとも5×107 CFUの量の、カナダ国際寄託当局（IDAC）に2013年6月20日に寄託され、アクセッション番号200613-01に帰属する単離されたE. coli株、その変異体又はバリアントを含むことを特徴とする、請求項12〜20のいずれか一項に記載の使用。
【請求項２２】
組成物が、用量当たり、約5×106〜約3×1010 CFUの範囲内の量の、カナダ国際寄託当局（IDAC）に2013年6月20日に寄託され、アクセッション番号200613-01に帰属する単離されたE. coli株、その変異体又はバリアントを含むことを特徴とする、請求項12〜20のいずれか一項に記載の使用。
【手続補正書】
【提出日】平成28年3月11日(2016.3.11)
【手続補正１】
【補正対象書類名】明細書
【補正対象項目名】０００２
【補正方法】変更
【補正の内容】
【０００２】
ＩＩＩ窒化物半導体のうち、窒化インジウム（ＩｎＮ）は、最小の直接バンドギャップ、最大の電子飽和速度及び移動度、並びに最小の電子有効質量を有する。それは長い間、太陽電池、並びに高電子移動度及び高周波装置などの、光学、電気、及び光電子装置技術における応用のための魅力的な半導体材料であってきた。ＩｎＮの最も熱力学的に安定な相はウルツ鉱型構造（六方晶系相）であるが、ＩｎＡｓ／ＧａＡｓ上での閃亜鉛鉱（立方晶系相）ＩｎＮの成長が、プラズマ支援分子線エピタキシー法（ＭＢＥ）により４５０℃において実証された。立方晶系ＩｎＮは、その格子が等方性であるため、より小さいバンドギャップ及び優れた電子的特性を有し、またより低いフォノン散乱を有する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００８／００３６０３８号明細書
（特許文献２）  米国特許出願公開第２０１０／００３８６５６号明細書
（特許文献３）  米国特許出願公開第２０１０／００６５８５５号明細書
（特許文献４）  米国特許出願公開第２０１２／００５２６８１号明細書
（特許文献５）  米国特許第７，５２１，２７４号明細書
（特許文献６）  米国特許出願公開第２０１１／０１４７７９１号明細書
（特許文献７）  米国特許出願公開第２００７／０２５７２６４号明細書
（特許文献８）  韓国公開特許第１０−２００９−０１０７４０３号公報
（特許文献９）  特開２００７−２５４１７５号公報
（非特許文献）
（非特許文献１）  Ｋ．ＭＩＴＡＭＵＲＡ  ＥＴ  ＡＬ："Ｇｒｏｗｔｈ  ｏｆ  ＩｎＮ  ｆｉｌｍｓ  ｏｎ  ｓｐｉｎｅｌ  ｓｕｂｓｔｒａｔｅｓ  ｂｙ  ｐｕｌｓｅｄ  ｌａｓｅｒ  ｄｅｐｏｓｉｔｉｏｎ，"ＰＨＹＳ．ＳＴＡＴ．ＳＯＬ．ＲＡＰＩＤ  ＲＥＳＥＡＲＣＨ  ＬＥＴＴＥＲＳ，ｖｏｌ．１，ｎｏ．５，Ｏｃｔｏｂｅｒ  ２００７（２００７−１０），ｐａｇｅｓ  ２１１−２１３
（非特許文献２）  ＳＴＥＦＡＮＯ  ＯＲＬＡＮＤＯ  ＥＴ  ＡＬ："Ｓｔｒｕｃｔｕｒａｌ，ｃｈｅｍｉｃａｌ，ａｎｄ  ｅｌｅｃｔｒｉｃａｌ  ｃｈａｒａｃｔｅｒｉｚａｔｉｏｎ  ｏｆ  ｉｎｄｉｕｍ  ｎｉｔｒｉｄｅ  ｐｒｏｄｕｃｅｄ  ｂｙ  ｐｕｌｓｅｄ  ｌａｓｅｒ  ａｂｌａｔｉｏｎ，"ＰＨＹＳ．ＳＴＡＴＵＳ  ＳＯＬＩＤＩ  Ｃ：ＣＵＲＲＥＮＴ  ＴＯＰＩＣＳ  ＩＮ  ＳＯＬＩＤ  ＳＴＡＴＥ  ＰＨＹＳＩＣＳ，ｖｏｌ．９，ｎｏ．３−４，１３  Ｍａｒｃｈ  ２０１２（２０１２−０３−１３），ｐａｇｅｓ  ９９３−９９６
（非特許文献３）  Ｃ．ＰＩＮＱＵＩＥＲ  ＥＴ  ＡＬ："Ｒａｍａｎ  ｓｃａｔｔｅｒｉｎｇ  ｓｔｕｄｙ  ｏｆ  ｗｕｒｔｚｉｔｅ  ａｎｄ  ｒｏｃｋｓａｌｔ  ＩｎＮ  ｕｎｄｅｒ  ｈｉｇｈ  ｐｒｅｓｓｕｒｅ，"ＰＨＹＳＩＣＡＬ  ＲＥＶＩＥＷ  Ｂ，ｖｏｌ．７３，ｎｏ．１１，Ｍａｒｃｈ  ２００６（２００６−０３），１１５２１１
（非特許文献４）  ＢＨＵＩＹＡＮ  ＡＳＨＲＡＦＵＬ  ＧＨＡＮＩ  ＥＴ  ＡＬ："Ｉｎｄｉｕｍ  ｎｉｔｒｉｄｅ（ＩｎＮ）：Ａ  ｒｅｖｉｅｗ  ｏｎ  ｇｒｏｗｔｈ，ｃｈａｒａｃｔｅｒｉｚａｔｉｏｎ，ａｎｄ  ｐｒｏｐｅｒｔｉｅｓ，"ＪＯＵＲＮＡＬ  ＯＦ  ＡＰＰＬＩＥＤ  ＰＨＹＳＩＣＳ，ＡＭＥＲＩＣＡＮ  ＩＮＳＴＩＴＵＴＥ  ＯＦ  ＰＨＹＳＩＣＳ，ＵＳ，ｖｏｌ．９４，ｎｏ．５，Ｓｅｐｔｅｍｂｅｒ  ２００３（２００３−０９），ｐａｇｅｓ  ２７７９−２８０８
（非特許文献５）  ＺＨＡＮＧ  Ｊ  ＥＴ  ＡＬ："Ｐｕｌｓｅｄ  ａｔｏｍｉｃ  ｌａｙｅｒ  ｅｐｉｔａｘｙ  ｏｆ  ｑｕａｔｅｒｎａｒｙ  ＡｌｉｎＧａＮ  ｌａｙｅｒｓ，"ＡＰＰＬＩＥＤ  ＰＨＹＳＩＣＳ  ＬＥＴＴＥＲＳ，ＡＭＥＲＩＣＡＮ  ＩＮＳＴＩＴＵＴＥ  ＯＦ  ＰＨＹＳＩＣＳ，ｖｏｌ．７９，ｎｏ．７９，１３  Ａｕｇｕｓｔ  ２００１（２００１−０８−１３），ｐａｇｅｓ  ９２５−９２７
（非特許文献６）  ＫＥＬＬＥＲ  Ｓ  ＥＴ  ＡＬ："ＦＬＯＷ  ＭＯＤＵＬＡＴＩＯＮ  ＥＸＰＩＴＡＸＹ  ＯＦ  ＩＮＮ／ＧＡＮ  ＨＥＴＥＲＯＳＴＲＵＣＴＵＲＥＳ；ＴＯＷＡＲＤＳ  ＩＮＮ  ＢＡＳＥＤ  ＨＥＭＴＳ，"ＰＲＯＣＥＥＤＩＮＧＳ  ＯＦ  ＩＮＴＥＲＮＡＴＩＯＮＡＬ  ＷＯＲＫＳＨＯＰ  ＯＮ  ＮＩＴＲＩＤＥ  ＳＥＭＩＣＯＮＤＵＣＴＯＲＳ，ＩＰＡＰ  Ｃｏｎｆ．Ｓｅｒｉｅｓ  １，ｐａｇｅｓ  ２３３−２３６
（非特許文献７）  Ｅｘｔｅｎｄｅｄ  Ｅｕｒｏｐｅａｎ  Ｓｅａｒｃｈ  ｒｅｐｏｒｔ  ｆｏｒ  Ａｐｐｌｉｃａｔｉｏｎ  Ｎｏ．ＥＰ  １３８０６３５３  ｃｏｍｐｌｅｔｅｄ  ｏｎ  １４  Ｊａｎｕａｒｙ  ２０１６
（非特許文献８）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ／２０１３／０４５５６９
【手続補正書】
【提出日】平成28年4月11日(2016.4.11)
【手続補正１】
【補正対象書類名】特許請求の範囲
【補正対象項目名】請求項２３
【補正方法】変更
【補正の内容】
【請求項２３】
送信ノード（５１０）のコンピュータにより実行される際、前記コンピュータに請求項１乃至１１のいずれか１項に記載の方法を実行させるコンピュータプログラム。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
エネルギーを車両に磁気誘導によって供給する構成であって、前記構成は、
−１次側導電体構成（２６）であって、交番電流が前記導体構成（２６）を流れている間、電磁界を生成するように適合されている前記１次側導電体構成（２６）と、
−前記電磁界の磁力線を整形するように適合されている磁化可能な材料を含む磁界整形層（１ａ〜１ｄ；１ｅ〜１ｆ）と、を備え、
前記磁界整形層（１ａ〜１ｄ；１ｅ〜１ｆ）は前記磁化可能な材料から作られている複数の素子（１）を含み、隣接の素子（１ａ、１ｂ；１ａ、１ｃ）は互いに距離を隔てて配置されているのであって、
前記構成は、磁化可能な材料から作られている前記複数の素子（１）を含み、かつ、連続した支持層（２３）を含む複合層として構成される前記磁界整形層（１ａ〜１ｄ；１ｅ〜１ｆ）を備え、隣接の素子（１ａ、１ｂ；１ａ、１ｃ）は互いに距離を隔てて配置され、かつ、前記複数の素子（１）は前記連続した支持層（２３）に固定され、
前記連続した支持層（２３）は導電性材料から作られており、
かつ、
前記１次側導電体構成（２６）は、前記複数の素子（１）から距離を隔てたところに位置している、ことを特徴とする構成。
【請求項２】
２つの隣接の素子（１）間の前記距離は、前記距離を挟んだ前記方向における前記隣接の素子（１）の前記延在よりも小さい、請求項１に記載の構成。
【請求項３】
磁化可能な材料から作られている前記素子（１）によって占められている方の前記磁界整形層（１ａ〜１ｄ；１ｅ〜１ｆ）内の前記面積の、磁化可能な材料が存在しない前記磁界整形層（１ａ〜１ｄ；１ｅ〜１ｆ）内の領域も含む方の前記磁界整形層（１ａ〜１ｄ；１ｅ〜１ｆ）の前記総面積に対する前記比は、少なくとも７０％であり、且つ９７％を超えない、請求項１または２に記載の構成。
【請求項４】
前記素子（１）はタイルの前記形状である、請求項１〜３の何れか１項に記載の構成。
【請求項５】
前記素子（１）は、前記層の長手方向に、且つ／または前記層の横方向に、前記磁界整形層（１ａ〜１ｄ；１ｅ〜１ｆ）の前記延在に亘って均等に分散されている、請求項１〜４の何れか１項に記載の構成。
【請求項６】
エネルギーを車両に磁気誘導によって供給する構成を生成する方法であり、
−交番電流が１次側導体構成（２６）を流れている間、電磁界を生成するように適合されている前記導電体構成（２６）が設けられ、
−前記電磁界の磁力線を整形するように適合されている磁化可能な材料を含む磁界整形層（１ａ〜１ｄ；１ｅ〜１ｆ）が、前記導体構成（２６）の周囲に配置される方法であって、
前記磁界整形層（１ａ〜１ｄ；１ｅ〜１ｆ）は前記磁化可能な材料から作られている複数の素子（１）を使用して配置され、隣接の素子（１）は互いに距離を隔てて配置されているのであって、
前記磁界整形層は、磁化可能な材料から作られている前記複数の素子（１）を含み、かつ、連続した支持層（２３）を含む複合層として構成され、隣接の素子（１ａ、１ｂ；１ａ、１ｃ）は互いに距離を隔てて配置され、かつ、前記複数の素子（１）は前記連続した支持層（２３）に固定され、
前記連続した支持層（２３）は導電性材料から作られており、
かつ、
前記１次側導電体構成（２６）は、前記複数の素子（１）から距離を隔てたところに位置している、ことを特徴とする、方法。
【請求項７】
磁化可能な材料から作られている前記素子（１）によって占められている方の前記磁界整形層（１ａ〜１ｄ；１ｅ〜１ｆ）内の前記面積の、磁化可能な材料が存在しない前記磁界整形層（１ａ〜１ｄ；１ｅ〜１ｆ）内の領域も含む方の前記磁界整形層（１ａ〜１ｄ；１ｅ〜１ｆ）の前記総面積に対する前記比は、少なくとも７０％であり、且つ９７％を超えない、請求項６に記載の方法。
【請求項８】
隣接の素子（１）は互いに距離を隔てて配置され、前記距離は前記距離を挟んだ前記方向における前記隣接の素子（１）の前記延在よりも小さい、請求項６または７に記載の方法。
【請求項９】
前記素子（１）は、前記層の長手方向に、且つ／または前記層の横方向に、前記磁界整形層（１ａ〜１ｄ；１ｅ〜１ｆ）の前記延在に亘って均等に分散されている、請求項６〜８の何れか１項に記載の方法。
【請求項１０】
前記連続した支持層（２３）及び前記素子（１）を含み、コイルの前記形状に巻かれるか、または断片状に重なり合って折られている前記複合層は、現場の対象領域の一部分に提供されて配置され、前記対象領域を占めるように巻き戻されるか、または広げられる、請求項６〜９の何れか１項に記載の方法。